(57)【要約】  本発明は既存のガーメント（衣服）にデジタルバンドが迅速かつ容易に付着され高速通信経路を提供できるデジタルバンドを用いたデジタルガーメント及びその製造方法に関する。  このために、織物で形成されたガーメントと、ガーメントの外部又は内部に沿って形成され通信経路を提供するデジタルバンドと、ガーメントに付着されデジタルバンドに電気的に連結され物理的信号を電気的信号に変更するセンサと、ガーメントに付着されデジタルバンドに電気的に連結されセンサの電気的信号を受信して処理する演算装置と、 ガーメントに付着されデジタルバンドに電気的に連結され無線通信を行う通信モジュールと、を含むデジタルバンドを用いたデジタルガーメントが開示される。
2010522834.tif 000002
【特許請求の範囲】
【請求項１】
織物から形成されたガーメント；
前記ガーメントの外部又は内部に沿って形成され通信経路を提供するデジタルバンド；
前記ガーメントに付着され前記デジタルバンドに電気的に連結され物理的信号を電気的信号に変更するセンサ；
前記ガーメントに付着され前記デジタルバンドに電気的に連結され前記センサの電気的信号を受信して処理する演算装置；及び
前記ガーメントに付着され前記デジタルバンドに電気的に連結され無線通信を行う通信モジュールを含むことを特徴とするデジタルバンドを用いたデジタルガーメント。
【請求項２】
前記デジタルバンドは前記ガーメントと一体に形成されるか、または前記ガーメントに付着されたことを特徴とする請求項１に記載のデジタルバンドを用いたデジタルガーメント。
【請求項３】
前記デジタルバンドは、
第１方向に並んで形成される複数の経糸；及び
前記第１方向と垂直をなす第２方向に並んで形成された複数の緯糸を含み、前記経糸は通信経路を提供する少なくとも一つのデジタル糸を含むことを特徴とする請求項１に記載のデジタルバンドを用いたデジタルガーメント。
【請求項４】
前記デジタル糸は３００本以下が具備されることを特徴とする請求項３に記載のデジタルバンドを用いたデジタルガーメント。
【請求項５】
前記デジタル糸は、
前記デジタル糸の直径を基準として中心に位置し通信経路を提供する少なくとも一つの金属部；及び
前記金属部の外部を囲んで形成されて電磁波を遮蔽するコーティング部を含むことを特徴とする請求項３に記載のデジタルバンドを用いたデジタルガーメント。
【請求項６】
前記デジタル糸は、
前記コーティング部の外周縁に沿って配列される外側金属部；及び
前記外側金属部を囲んで形成される外側コーティング部をさらに含むことを特徴とする請求項５に記載のデジタルバンドを用いたデジタルガーメント。
【請求項７】
前記経糸は、
前記第１方向に並んで形成され単糸又は撚糸からなる複数の通常経糸；及び
前記通常経糸の間に少なくとも一つが形成された前記デジタル糸を含むことを特徴とする請求項３に記載のデジタルバンドを用いたデジタルガーメント。
【請求項８】
前記デジタル糸は前記デジタルバンドの周縁の内側に前記通常経糸と共に並んで配列されることを特徴とする請求項７に記載のデジタルバンドを用いたデジタルガーメント。
【請求項９】
前記デジタルバンドの周縁には前記通常経糸が位置することを特徴とする請求項７に記載のデジタルバンドを用いたデジタルガーメント。
【請求項１０】
前記デジタルバンドは、
対称をなして形成されたテープ；及び
前記テープの間に形成された複数のデジタル糸を含み、
前記テープは前記デジタル糸を直径方向に圧搾しながら接着されたことを特徴とする請求項１に記載のデジタルバンドを用いたデジタルガーメント。
【請求項１１】
前記デジタル糸は互いに同じ間隔を有して形成されたことを特徴とする請求項１０に記載のデジタルバンドを用いたデジタルガーメント。
【請求項１２】
織物を用いて製作されたガーメントを準備するガーメント準備段階；
少なくとも一つのデジタル糸を有する経糸及び前記経糸と垂直をなす緯糸を含むデジタルバンドを具備するデジタルバンド具備段階；
前記ガーメントに前記デジタルバンドを付着するデジタルバンド付着段階；及び
前記ガーメントにデバイスを付着し前記デバイスを前記デジタルバンドに電気的に連結するデバイス付着段階を含むことを特徴とするデジタルバンドを用いたデジタルガーメントの製造方法。
【請求項１３】
前記デジタルバンド具備段階は前記デジタル糸を含む前記経糸を第１方向に並んで配列し、前記緯糸を前記第１方向と垂直をなす第２方向に送出して、前記緯糸が前記経糸の間を交差するようにすることを特徴とする請求項１２に記載のデジタルバンドを用いたデジタルガーメントの製造方法。
【請求項１４】
前記デジタルバンド具備段階は前記経糸が前記第１方向に並んで形成され単糸又は撚糸からなる複数の通常経糸、前記通常経糸の間に少なくとも一つが形成された前記デジタル糸を含むようにすることを特徴とする請求項１２に記載のデジタルバンドを用いたデジタルガーメントの製造方法。
【請求項１５】
前記デジタルバンド具備段階は前記デジタルバンドの周縁に通常経糸が配列されるようにすることを特徴とする請求項１２に記載のデジタルバンドを用いたデジタルガーメントの製造方法。
【請求項１６】
前記デジタルバンド具備段階は前記デジタル糸が直径を基準として中心に位置した金属部及び前記金属部を囲むコーティング部を有するようにすることを特徴とする請求項１２に記載のデジタルバンドを用いたデジタルガーメントの製造方法。
【請求項１７】
前記デジタルバンド具備段階は前記デジタル糸が前記コーティング部の周りに沿って配列される複数の外側金属部及び前記外側金属部を囲む外側コーティング部をさらに含むようにすることを特徴とする請求項１６に記載のデジタルバンドを用いたデジタルガーメントの製造方法。
【請求項１８】
前記デジタルバンド付着段階は前記デジタルバンドの周縁に配列された前記通常経糸を裁縫して前記デジタルバンドを前記ガーメントに付着することを特徴とする請求項１２に記載のデジタルバンドを用いたデジタルガーメントの製造方法。
【請求項１９】
織物を用いて製作されたガーメントを準備するガーメント準備段階；
並んで配列された少なくとも一つのデジタル糸及び前記デジタル糸を囲みながら対称する一対に形成されたテープを含むデジタルバンドを具備するデジタルバンド具備段階；
前記ガーメントに前記デジタルバンドを付着するデジタルバンド付着段階；及び
前記ガーメントにデバイスを付着し前記デバイスを前記デジタルバンドに電気的に連結するデバイス付着段階を含むことを特徴とするデジタルバンドを用いたデジタルガーメントの製造方法。
【請求項２０】
前記デジタルバンド付着段階は前記デジタルバンドのテープに熱を加えて前記デジタルバンドを前記ガーメントに付着するか、または前記テープのエッジを裁縫して前記デジタルバンドを前記ガーメントに付着することを特徴とする請求項１９に記載のデジタルバンドを用いたデジタルガーメントの製造方法。
【請求項２１】
前記デバイス付着段階はセンサ、演算装置及び通信モジュールを含む前記デバイスを前記ガーメントに付着し前記デジタルバンドと電気的に連結することを特徴とする請求項１２又は１９に記載のデジタルバンドを用いたデジタルガーメントの製造方法。
【発明の詳細な説明】
【技術分野】
【０００１】
本発明は、デジタルバンドを用いたデジタルガーメント及びその製造方法に関し、さらに詳しくは既存のガーメント（衣服）にデジタルバンドが迅速かつ容易に付着され高速通信経路を提供できるデジタルバンドを用いたデジタルガーメント及びその製造方法に関する。
【背景技術】
【０００２】
ユビキタス時代にはいつでもどこでもリアルタイムにネットワークに接続して情報をやり取りできることが要求される。したがって、人間が着用しているデジタルガーメント（ｄｉｇｉｔａｌ  ｇａｒｍｅｎｔ）が周りのネットワークと接続してそのような機能を遂行する必要がある。その結果、情報を伝達できるように電子の移動が可能な上、製織又は紡織を行うことができて衣服を作れる糸であるデジタル糸（ｄｉｇｉｔａｌ  ｙａｒｎ）が使用される。
ところが、このようなデジタル糸は一本ずつコネクタに連結されなければならないため、これを用いてデジタルガーメントを製作するためには工程時間が長くかかるようになる問題がある。そして、デジタル糸からなる生地で衣服を製造するためには、服の繋ぎ目部分でデジタル糸を連結する追加的な作業が求められるため工程が複雑になる。また、既存の衣服にデジタル糸を付着しようとする場合も、デジタル糸を再処理する工程が求められるため、工程が複雑になる問題がある。
【発明の概要】
【発明が解決しようとする課題】
【０００３】
本発明は、上述の従来の問題点を克服するためのものであり、本発明の目的は、既存のガーメントにデジタルバンドが迅速かつ容易に付着され、高速通信経路を提供することを可能にするデジタルバンドを用いたデジタルガーメント及びその製造方法を提供することにある。
【課題を解決するための手段】
【０００４】
上述の目的を達成するために、本発明にかかるデジタルバンドを用いたデジタルガーメントは織物で形成されたガーメントと、ガーメントの外部又は内部に沿って形成され通信経路を提供するデジタルバンドと、ガーメントに付着されデジタルバンドに電気的に連結され物理的信号を電気的信号に変更するセンサと、ガーメントに付着されデジタルバンドに電気的に連結されセンサの電気的信号を受信して処理する演算装置と、ガーメントに付着されデジタルバンドに電気的に連結され無線通信を行う通信モジュールと、を含むことができる。
【０００５】
ここで、デジタルバンドはガーメントと一体形成されるか、またはガーメントに付着され得る。
【０００６】
そして、デジタルバンドは第１方向に並んで形成される複数の経糸及び第１方向と垂直をなす第２方向に並んで形成された複数の緯糸を含み、経糸は通信経路を提供する少なくとも一つのデジタル糸を含むことができる。
【０００７】
また、デジタル糸は３００本以下が具備され得る。
【０００８】
また、デジタル糸はデジタル糸の直径を基準として中心に位置し通信経路を提供する少なくとも一つの金属部及び金属部の外部を囲んで形成され電磁波を遮蔽するコーティング部を含むことができる。
【０００９】
また、デジタル糸はコーティング部の外周縁に沿って配列される外側金属部及び外側金属部を囲んで形成される外側コーティング部をさらに含むことができる。
【００１０】
また、経糸は第１方向に並んで形成され単糸又は撚糸からなる複数の通常経糸及び通常経糸の間に少なくとも一つが形成されたデジタル糸を含むことができる。
【００１１】
また、デジタル糸はデジタルバンドの周縁の内側に通常経糸と共に並んで配列され得る。
【００１２】
また、デジタルバンドの外周には通常経糸が位置することができる。
【００１３】
また、デジタルバンドは対称をなして一対に形成されたテープおよびテープの間に形成された複数のデジタル糸を含み、テープはデジタル糸を直径方向に圧搾しながら接着され得る。
【００１４】
また、デジタル糸は互いに同じ間隔を有して形成され得る。
【００１５】
併せて、上述の目的を達成するために本発明にかかるデジタルバンドを用いたデジタルガーメントの製造方法は、織物を用いて製作されたガーメントを準備するガーメント準備ステップと、少なくとも一つのデジタル糸を有する経糸及び経糸と垂直をなす緯糸を含むデジタルバンドを具備するデジタルバンド具備ステップと、ガーメントに前記デジタルバンドを付着するデジタルバンド付着ステップと、ガーメントにデバイスを付着しデバイスをデジタルバンドに電気的に連結するデバイス付着ステップと、を含むことができる。
【００１６】
ここで、デジタルバンド具備ステップは、デジタル糸を含む経糸を第１方向に並んで配列し、緯糸を第１方向と垂直をなす第２方向に送出して、緯糸が経糸の間を交差するようにすることであり得る。
【００１７】
そして、デジタルバンド具備ステップは、経糸が第１方向に並んで形成され単糸又は撚糸からなる複数の通常経糸及び通常経糸の間に少なくとも一つが形成されたデジタル糸を含むようにすることであり得る。
【００１８】
また、デジタルバンド具備ステップは、デジタルバンドの周縁に通常経糸を配列させることであり得る。
【００１９】
また、デジタルバンド具備ステップは、デジタル糸が直径を基準として中心に位置した金属棒及び金属棒を囲むコーティング部を有するようにすることであり得る。
【００２０】
また、デジタルバンド具備ステップは、デジタル糸がコーティング部の周りに沿って配列される複数の外側金属部及び外側金属部を囲む外側コーティング部をさらに含ませることであり得る。
【００２１】
また、デジタルバンド付着ステップは、デジタルバンドの周縁に配列された通常経糸を裁縫してデジタルバンドをガーメントに付着することであり得る。
【００２２】
併せて、上述の目的を達成するために本発明にかかるデジタルバンドを用いたデジタルガーメントの製造方法は、織物を用いて製作されたガーメントを準備するガーメント準備ステップと、並んで配列された少なくとも一つのデジタル糸及びデジタル糸を囲んで対称をなす一対に形成されたテープを含むデジタルバンドを具備するデジタルバンド具備ステップと、ガーメントにデジタルバンドを付着するデジタルバンド付着ステップと、ガーメントにデバイスを付着しデバイスをデジタルバンドに電気的に連結するデバイス付着ステップと、を含むことができる。
【００２３】
ここで、デジタルバンド付着ステップは、デジタルバンドのテープに熱を加えてガーメントを付着するか、テープのエッジを裁縫してガーメントに付着できる。
【００２４】
そして、デバイス付着ステップは、センサ、演算装置及び通信モジュールを含むデバイスをガーメントに付着しデジタルバンドと電気的に連結することであり得る。
【発明の効果】
【００２５】
上記のように、本発明にかかるデジタルバンドを用いたデジタルガーメント及びその製造方法は、デジタル糸を含む経糸及びこれと垂直をなして配列された緯糸を用いて形成された織物タイプのデジタルバンドを具備し、このデジタルバンドを既存の衣服に付着することによって、既存の衣服を用いて容易に製作され高速通信経路を提供することができる。
【図面の簡単な説明】
【００２６】
【図１】本発明の一実施例にかかるデジタルバンドを用いたデジタルガーメントを図示した斜視図である。
【図２】図１のＡを拡大して図示した図である。
【図３】図２のＢ-Ｂ´線の断面図である。
【図４】図２のＣ-Ｃ´線の断面図である。
【図５】本発明の一実施例にかかるデジタルバンドを用いたデジタルガーメントに使用されるデジタル糸を図示した断面図である。
【図６】本発明の一実施例にかかるデジタルバンドを用いたデジタルガーメントに使用されるデジタル糸を図示した断面図である。
【図７】本発明の他の実施例にかかるデジタルバンドを用いたデジタルガーメントに使用されるデジタル糸を図示した断面図である。
【図８】本発明のまた他の実施例にかかるデジタルバンドを用いたデジタルガーメントに使用されるデジタルバンドを図示した断面図である。
【図９】本発明の一実施例にかかるデジタルバンドを用いたデジタルガーメントの製造方法を説明するためのフローチャートである。
【発明を実施するための形態】
【００２７】
以下、本発明の一実施例にかかるデジタルバンドを用いたデジタルガーメント１０００の構成について説明する。
図１は、本発明の一実施例にかかるデジタルバンドを用いたデジタルガーメント１０００を図示した斜視図である。図２は、図１のＡを拡大した図である。図３は、図２のＢ-Ｂ´線の断面図である。図４は図２のＣ-Ｃ´線の断面図である。図５及び図６は本発明の一実施例にかかるデジタルバンドを用いたデジタルガーメント１０００に使用されるデジタル糸１２１２を図示した断面図である。
【００２８】
図１乃至図４、図５及び図６に示すように、本発明の一実施例にかかるデジタルバンドを用いたデジタルガーメント１０００は、通常のガーメント１１００、前記ガーメント１１００に付着されたデジタルバンド１２００、前記ガーメント１１００に付着され前記デジタルバンド１２００に電気的に連結されるセンサ１３００、演算装置１５００及び通信モジュール１７００を含むことができる。また、本発明の一実施例にかかるデジタルバンドを用いたデジタルガーメント１０００は、前記ガーメント１１００に付着され前記デジタルバンド１２００に電気的に連結される入力パッド１４００、ディスプレイ１６００又は電気モジュール１８００をさらに含むことができる。
【００２９】
前記ガーメント１１００は通常の衣服であり得る。また、図１に上着のみが図示されているが、前記ガーメント１１００は上着のみでなく下衣又は上下一体型の衣服など全ての衣類製品で良く、これに本発明の内容を限定するものではない。
【００３０】
前記デジタルバンド１２００は、前記ガーメント１１００の形状に沿って前記ガーメント１１００に付着される。前記デジタルバンド１２００は、前記ガーメント１１００の外部又は内部に沿って形成されることができる。また、図示しないが、前記デジタルバンド１２００は、前記ガーメント１１００を形成する織物の一部分を直接構成することもできる。
前記デジタルバンド１２００は、内部にデジタル糸を具備して周りのコンピュータ装置との通信経路を提供する。前記デジタルバンド１２００は、複数の経糸１２１０と、前記経糸１２１０と垂直をなして形成される複数の緯糸１２２０と、を含んで構成され得る。
【００３１】
前記経糸１２１０は第１方向に並んで形成され、前記第１方向と垂直をなす第２方向に所定の間隔を維持しながら多数配列される。ここで、前記第１方向とは、前記デジタルバンド１２００の長さ方向を意味する。また、前記経糸１２１０は、前記第２方向に配列された複数の通常経糸１２１１及びデジタル糸１２１２を含んで形成される。
【００３２】
前記通常経糸１２１１は原糸を用いて形成される。ここで、前記原糸とは衣服を製作するための織物を構成する糸を意味する。また、図１乃至図５には前記通常経糸１２１１が複数の原糸をより合わせて単糸のようにした撚糸構造が図示されている。しかし、前記通常経糸１２１１の構造を撚糸構造に限定するものではなく、前記通常経糸１２１１は一本の原糸である単糸で形成されることもできる。
【００３３】
前記デジタルバンド１２００の第２方向を基準として周縁には前記通常経糸１２１１が位置する。したがって、前記デジタルバンド１２００を前記ガーメント１１００に付着する時、前記周縁に位置した通常経糸１２１１を裁縫する方法を利用できる。また、前記デジタルバンド１２００の周縁を基準にして内側には前記通常経糸１２１１が前記デジタル糸１２１２に並んで配列される。
【００３４】
前記デジタル糸１２１２は第１方向に形成され、前記通常経糸１２１１に並んで配列される。前記デジタル糸１２１２は前記デジタルバンド１２００が周りのコンピュータ装置と高速通信を行うための経路を提供する。
前記デジタル糸１２１２は３００本以下であり得る。前記デジタル糸１２１２の本数の下限を設けていないのは、本発明の一実施例にかかるデジタルバンドを用いたデジタルガーメント１０００において、前記デジタル糸１２１２は少なくとも一つ以上が具備される必要があるからである。また、前記デジタル糸１２１２が３００本を超えると、衣服に付着した時、反復的な動きにより損傷を受けることになる虞がある。
【００３５】
前記デジタル糸１２１２は、前記デジタル糸１２１２の直径を基準として中心に位置した少なくとも一つの金属部１２１２ａ及び前記金属部１２１２ａを囲んで形成されるコーティング部１２１２ｂを含んで形成される。また、前記金属部１２１２ａと前記コーティング部１２１２ｂとの間には前記コーティング部１２１２ｂが前記金属部１２１２ａの間の領域に引き込まれなかったため形成された空き空間である孔隙１２１２ｃが形成されることもでき、前記コーティング部１２１２ｂの外周縁を囲むカバー糸１２１２ｄがさらに形成されることもできる。
【００３６】
前記金属部１２１２ａは電気的な抵抗が小さく、曲げ動作の繰り返しに対する弾性回復力の高い材質の金属で構成される。前記金属部１２１２ａは銅、銅合金、銀、銀合金、金、金合金、黄銅のうちから選択された少なくとも一つ又はこれらの組み合わせを用いて形成され得る。また、前記金属部１２１２ａは、七本が具備されることが図示されているが、本発明の内容をこれに限定するものではない。
【００３７】
前記コーティング部１２１２ｂは前記金属部１２１２ａを囲んで形成される。前記コーティング部１２１２ｂは前記デジタルバンド１２００が高速通信用として使用される場合、前記金属部１２１２ａから発生する電磁波が人体に到達できないように遮断する。また、前記コーティング部１２１２ｂは外部のノイズ電磁波が前記デジタルバンド１２００内部の金属部１２１２ａに到達できないように遮断する。このために、前記コーティング部１２１２ｂの材質としてＥＴＦＥ（Ｅｔｈｙｌｅｎｅｔｅｔｒａｆｌｕｏｒｏｅｔｈｙｌｅｎｅ）、ＦＥＰ（Ｆｌｕｏｒｉｎａｔｅｄ  Ｅｔｈｙｌｅｎｅｐｒｏｐｙｌｅｎｅ）、ＰＴＦＥ（Ｐｏｌｙｔｅｔｒａｆｌｕｏｒｏｅｔｈｙｌｅｎｅ）、ＰＶＤＦ（Ｐｏｌｙｖｉｎｙｌｉｄｅｎｅｆｌｕｏｒｉｄｅ）、ＰＦＡ（Ｐｅｒｆｌｕｏｒｏａｌｋｏｘｙ）及びその等価物のうち選択されたいずれか一つが使用され得るが、これに本発明の内容を限定するものではない。
【００３８】
前記カバー糸１２１２ｄは、前記コーティング部１２１２ｂの外周縁を囲んで多数形成されることができる。前記カバー糸１２１２ｄは前記通常経糸１２１１をなす原糸を用いて形成されることができる。前記カバー糸１２１２ｄは前記デジタル糸１２１２の周りを構成するように形成され、その内部の金属部１２１２ａ及びコーティング部１２１２ｂを保護する。すなわち、前記カバー糸１２１２ｄは前記デジタル糸１２１２が曲げる動作を繰り返す場合、その衝撃を吸収して内部の金属部１２１２ａ及びコーティング部１２１２ｂが切断されることを防止できる。
【００３９】
前記緯糸１２２０は、前記経糸１２１０と垂直をなすように第２方向に多数形成される。また、前記緯糸１２２０は前記第１方向に所定間隔を維持しながら多数配列され、互いに並んで位置する。前記緯糸１２２０は前記経糸１２１０とともに織り上げられ前記デジタルバンド１２００を形成する。前記緯糸１２２０は前記通常経糸１２１１と同じように単糸又は撚糸の構造を有し得る。
【００４０】
前記緯糸１２２０は、その配列された列によって第１緯糸１２２１及び第２緯糸１２２２の二つのグループで構成される。ここで、前記第１緯糸１２２１及び第２緯糸１２２２は互いに隣接して配列される。例えば、前記第１緯糸１２２１は各奇数列に位置した緯糸であり、前記第２緯糸１２２２は各偶数列に位置した緯糸であり得る。
【００４１】
前記第１緯糸１２２１は前記経糸１２１０と垂直をなす第２方向に配列され前記経糸１２１０と交差する。前記第１緯糸１２２１は並んで配列された前記経糸１２１０が互いに離隔することによって形成された各空間を貫通するように配列される。すなわち、前記第１緯糸１２２１は前記経糸１２１０がなす平面を基準としてその上下部を交差しながらジグザグに形成される。
【００４２】
前記第２緯糸１２２２は前記第１緯糸１２２１に隣接しながら前記第２方向に配列される。前記第２緯糸１２２２も同様に前記経糸１２１０が互いに離隔して形成された各空間を貫通するように形成されるが、その貫通方向が前記第１緯糸１２２１の貫通方向とは逆方向になる。したがって、前記第２緯糸１２２２は前記第１緯糸１２２１とともに前記経糸１２１０の上下部に圧力を加えて前記経糸１２１０を固定させることができる。結局、前記経糸１２１０及び緯糸１２２０が織造方法で形成されることによって前記デジタルバンド１２００が形成されることができる。
【００４３】
前記センサ１３００は、前記ガーメント１１００に付着され前記デジタルバンド１２００に電気的に連結される。前記センサ１３００は使用者又は周りの事物の動き、振動、温度、圧力などの様々な物理的な信号を感知して電気的な信号に変換できる。また、前記センサ１３００はその用途によって複数個が具備され得る。前記センサ１３００で感知されて変換された電気的信号は前記デジタルバンド１２００を介して前記演算装置１７００に到達することになる。
【００４４】
前記入力パッド１４００は、前記ガーメント１１００に付着され前記デジタルバンド１２００に電気的に連結される。前記入力パッド１４００は使用の便宜のために前記ガーメント１１００の手首の部分に付着されることが図示されているが、前記位置に本発明の内容を限定するものではない。また、前記入力パッド１４００はキーパッド方式又はタッチスクリーン方式を利用できる。そして前記入力パッド１４００がタッチスクリーン方式を用いる場合、前記入力パッド１４００は前記ディスプレイ１６００と一体形成されることができる。
【００４５】
前記演算装置１５００は、前記ガーメント１１００に付着され前記デジタルバンド１２００に電気的に連結される。前記演算装置１５００は、前記センサ１３００、前記入力パッド１４００、前記通信モジュール１７００から信号を受信してこれを分析し処理する一連の演算作業を遂行する。また、前記演算装置１５００は前記デジタルバンド１２００を介して前記通信モジュール１７００に通信のための電気的信号を印加できる。
【００４６】
前記ディスプレイ１６００は、前記ガーメント１１００と付着され前記デジタルバンド１２００に電気的に連結される。また、前記ディスプレイ１６００は前記デジタルバンド１２００を介して前記演算装置１５００に電気的に連結される。したがって、前記ディスプレイ１６００は前記演算装置１５００の処理結果を画像に表示できる。前記ディスプレイ１６００は液晶表示装置（Ｌｉｑｕｉｄ  Ｃｒｙｓｔａｌ  Ｄｉｓｐｌａｙ：ＬＣＤ）、有機電界発光表示装置（Ｏｒｇａｒｎｉｃ  Ｌｉｇｈｔ  Ｅｍｉｔｔｉｎｇ  Ｄｉｓｐｌａｙ：ＯＬＥＤ）又はこれらの等価物を用いて形成されることができるが、本発明の内容を限定するものではない。
【００４７】
前記通信モジュール１７００は、前記ガーメント１１００に付着され前記デジタルバンド１２００と電気的に連結される。また、前記通信モジュール１７００は前記デジタルバンド１２００を介して前記演算装置１５００と電気的に連結される。したがって、前記通信モジュール１７００は前記演算装置１５００の処理結果を受信して、周辺のコンピュータ装置と無線通信を行う。
【００４８】
前記電気モジュール１８００は、前記ガーメント１１００に付着され前記デジタルバンド１２００に電気的に連結される。前記電気モジュール１８００は入出力端が基準フォーマットに合うようにハウジング（ｈｏｕｓｉｎｇ）されている。前記電気モジュール１８００は様々なデバイスを含むことができ、例えば半導体チップ、磁気保存装置、キャパシタ、インダクタ、抵抗器、クリスタル、コイル、バラクタ、サーミスタ、共鳴装置、トランスフォーマ、電気回路、電気光学回路、 光学的配置（ｏｐｔｉｃａｌ  ｃｏｎｆｉｇｕｒａｔｉｏｎ）電磁気回路、磁気配列に連結され得るコネクタ（ｃｏｎｎｅｃｔｏｒ）のような部品であり得る。ただし、前記電気モジュール１８００の種類で本発明の内容を限定するものではない。
【００４９】
上記のように、本発明の一実施例にかかるデジタルバンドを用いたデジタルガーメント１０００は、既存のガーメント１１００にデジタルバンド１２００を裁縫して付着することで周りのコンピュータ装置との通信経路を容易に提供できる。また、前記ガーメント１１００に様々なデバイス１３００乃至１８００を付着し、高速通信経路を提供するデジタルバンド１２００に前記デバイス１３００乃至１８００を電気的に連結することで、使用者のためのディスプレイ及び通信などの多様な便利で使いやすい機能を提供できる。
【００５０】
以下、本発明の他の実施例にかかるデジタルバンドを用いたデジタルガーメント（図示せず）の構成を説明する。
図７は、本発明の他の実施例にかかるデジタルバンドを用いたデジタルガーメントに使用されるデジタル糸２２１２を図示した断面図である。本発明の他の実施例にかかるデジタルバンドを用いたデジタルガーメントは、これに利用されるデジタル糸２２１２の構成を除けば本発明の一実施例にかかるデジタルバンドを用いたデジタルガーメントと同じである。 同じ構成を有し同じ動作を行う部分については同じ図面符号を付けており、以下では相違点を中心に説明する。
【００５１】
図７に示すように、本発明の他の実施例にかかるデジタルバンドを用いたデジタルガーメントに使用されるデジタル糸２２１２は、金属部１２１２ａ、コーティング部１２１２ｂ、前記コーティング部１２１２ｂの周りに配列される複数の外側金属部２２１２ａ、及び前記外側金属部２２１２ａを囲んで形成される外側コーティング部２２１２ｂを含むことができる。
また、工程中に前記金属部１２１２ａとコーティング部１２１２ｂとの間には孔隙１２１２ｃが形成されることができ、前記コーティング部１２１２ｂ、外側金属部２２１２ａ及び外側コーティング部２２１２ｂの間にも同じように孔隙２２１２ｃが形成されることができる。
【００５２】
前記外側金属部２２１２ａは、前記コーティング部１２１２ｂの外周縁に沿って同じ間隔を有して多数配列される。また、前記外側金属部２２１２ａは前記コーティング部１２１２ｂの周りを囲むように隙間なく配列され得る。
前記外側金属部２２１２ａは、前記金属部１２１２ａに電流が流れながら発生する電磁波が人体に到達することを遮断する。また、前記外側金属部２２１２ａは外部の電磁波ノイズが前記金属部１２１２ａに到達することを遮断する。
前記外側金属部２２１２ａは、前記金属部１２１２ａと同じ材質で、前記金属部１２１２ａの外部に、前記金属部１２１２ａの断面積よりもさらに大きな断面積を有するように形成される。したがって、前記外側金属部２２１２ａは前記金属部１２１２ａから発生した電磁波及び外部の電磁波ノイズを容易に吸収できる。結局、前記外側金属部２２１２ａは前記コーティング部１２１２ｂの電磁波遮断機能をさらに向上させることができる。
【００５３】
前記外側コーティング部２２１２ｂは前記外側金属部２２１２ａの外部を囲むように形成される。前記外側コーティング部２２１２ｂは前記コーティング部１２１２ｂと同じ材質で形成され前記金属部１２１２ａから発生した電磁波及び外部の電磁波ノイズを遮断する役割を果たす。
【００５４】
上述のように、本発明の他の実施例にかかるデジタルバンドを用いたデジタルガーメントは、金属部１２１２ａ及びコーティング部１２１２ｂの外部に外側金属部２２１２ａと外側コーティング部２２１２ｂとをさらに具備する。したがって、前記金属部１２１２ａに電流が流れることによって前記金属部１２１２ａから発生した電磁波が人体に到達することと外部の電磁波ノイズが前記金属部１２１２ａに到達することをより效率的に遮断できる。
【００５５】
以下、本発明のまた他の実施例にかかるデジタルバンドを用いたデジタルガーメント（図示せず）の構成を説明することにする。
図８は、本発明のまた他の実施例にかかるデジタルバンドを用いたデジタルガーメントに使用されるデジタルバンド３２００を図示した断面図である。
図８に示すように、本発明のまた他の実施例にかかるデジタルバンドを用いたデジタルガーメントは、これに利用されるデジタルバンド３２００の構成を除けば本発明の一実施例にかかるデジタルバンドを用いたデジタルガーメント１０００と同一である。同じ構成を有し同じ動作を行う部分については同じ図面符号を付けており、以下では相違点を中心に説明する。
【００５６】
前記デジタルバンド３２００は一方向に並んで形成された複数のデジタル糸３２１０、前記デジタル糸３２１０を内部に囲んで上下が合着されて形成されたテープ３２２０を含んで形成される。
前記デジタル糸３２１０は以上で説明した本発明の一実施例にかかるデジタルバンドを用いたデジタルガーメント１０００のデジタル糸１２１２と同じ構成を有する。ただし、前記デジタルバンド３２００は別途の通常経糸及び緯糸を具備しないため、前記デジタル糸３２１０のみが経糸方向に並んで多数配列される。
【００５７】
前記テープ３２２０は、上下対称の一対で構成され、前記デジタル糸３２１０を間に置いて互いに合着して形成される。前記テープは複数の前記デジタル糸３２１０を直径方向に圧搾して一緒に束ねる役割を果たす。図８で前記テープ３２２０によって密封される前記デジタル糸３２１０の本数は５本が図示されているが、これは簡潔に図示したものに過ぎず、本発明の内容を前記デジタル糸３２１０の本数に限定するものではない。
前記テープ３２２０は、外部を形成する表面部３２２１、前記表面部３２２１の内部に形成された粘着部３２２２を含んで構成される。
【００５８】
前記表面部３２２１は、前記テープ３２２０の外部を形成し、接着力がないように形成される。前記表面部３２２１の材質はポリウレタン（ｐｏｌｙｕｒｅｔｈａｎｅ）、ＰＴＦＥ（ｐｏｌｙｔｅｔｒａ-ｆｌｕｏｒｏｅｔｈｙｌｅｎｅ）及びＰＶＣ（ｐｏｌｙｖｉｎｙｌ  ｃｈｌｏｒｉｄｅ）のうち選択された少なくともいずれか一つ又はこれらの組み合わせで構成されることができる。
【００５９】
前記粘着部３２２２は、前記表面部３２２１の内部に形成され、前記表面部３２２１と同じ形状に対をなして形成される。前記粘着部３２２２は粘性を有する。また、前記粘着部３２２２が前記デジタル糸３２１０の表面に接着することによって前記テープ３２２０が複数のデジタル糸３２１０を外部から密封して固定させる。前記粘着部３２２２の材質はポリウレタン（ｐｏｌｙｕｒｅｔｈａｎｅ）、ナイロン（ｎｙｌｏｎ）及びポリエステル（ｐｏｌｙｅｓｔｅｒ）樹脂のうち選択されたいずれか一つ又はこれらの組み合わせであり得る。
【００６０】
前記デジタルバンド３２００は、デジタル糸３２１０をテープ３２２０が囲む構造に形成されるので、織物タイプに製作される時に比較すれば簡単な工程で迅速に製作されることができる。したがって、前記デジタルバンド３２００の製作効率が向上し得る。
前記デジタルバンド３２００はガーメント（図示せず）に熱融着方法によって付着され得る。すなわち、前記デジタルバンド３２００の上面又は下面のうちいずれか一面に熱を加えて前記テープ３２２０の表面部３２２１がガーメントに付着され得る。前記テープ３２２０の表面部３２２１そのものに粘性はないが、前記表面部３２２１に熱が加えられると変形が起きてガーメントに付着されるように粘性を有する。
【００６１】
また、前記デジタルバンド３２００はガーメントに裁縫されることで付着され得る。前記テープ３２２０の表面部３２２１は前記デジタル糸３２１０を外部から囲みながら互いに結合されるためのエッジａを有する。前記エッジａは前記テープ３２２０が互いに結合して前記デジタル糸３２１０を密封するためのマージンを提供する。また、前記エッジａを前記ガーメントに裁縫することで、前記デジタルバンド３２００がガーメントに付着され得る。すなわち、前記デジタルバンド３２００は前記エッジａを裁縫することでガーメントに付着されることができ、内部のデジタル糸３２１０が裁縫の際に破損することを防止できる。
【００６２】
上記のように、本発明のまた他の実施例にかかるデジタルバンドを用いたデジタルガーメントは、デジタルバンド３２００が複数のデジタル糸３２１０をテープ３２２０が囲むようにして形成される。したがって、デジタルバンドを織物タイプに形成する場合と比較して、簡単な工程で迅速に製作されることができるので、その効率を上げることができる。その他にも本発明のまた他の実施例にかかるデジタルバンドを用いたデジタルガーメントが既存のガーメントに容易に付着され通信経路を提供できることは上述の実施の形態の場合と同じである。
【００６３】
以下、本発明の一実施例にかかるデジタルバンドを用いたデジタルガーメント１０００の製造方法について説明する。
図９は、本発明の一実施例にかかるデジタルバンドを用いたデジタルガーメント１０００の製造方法を説明するためのフローチャートである。
【００６４】
図９を参照すれば、本発明の一実施例にかかるデジタルバンドを用いたデジタルガーメント１０００の製造方法はガーメント具備ステップＳ１と、デジタルバンド具備ステップＳ２と、デジタルバンド付着ステップＳ３と、デバイス付着ステップＳ４と、を含んで構成され得る。以下、図９の各ステップを図１乃至図４、図５及び図６を共に参照して説明するようにする。
【００６５】
前記ガーメント具備ステップＳ１は、デジタルガーメント１０００の基本となるガーメント１１００、すなわち、通常の衣服を具備するステップである。前記ガーメント１１００は図面には上着として図示されているが、これに本発明の内容を限定するものではなく、下衣又は上着および下衣が一体形成された衣服など全ての衣類を具備することができる。
【００６６】
前記デジタルバンド具備ステップＳ２のデジタル糸１２１２は先ずはデジタル糸１２１２を具備するステップから始まる。
前記デジタル糸１２１２に用いられる金属部１２１２ａは前記金属部１２１２ａと同じ材質の金属棒を細く作り上げ、柔軟化し、巻き取って形成されることができる。前記金属部１２１２ａの材質は銅、銅合金、銀、銀合金、金、金合金、黄銅のうち選択された少なくとも一つ又はこれらの組み合わせであるが、これに本発明の内容を限定するものではない。
【００６７】
前記デジタルバンド具備ステップＳ２のデジタル糸１２１２は、次に前記金属部１２１２ａの外周縁にコーティング部１２１２ｂを形成して行われる。前記コーティング部１２１２ｂの材質としては、ＥＴＦＥ（Ｅｔｈｙｌｅｎｅｔｅｔｒａｆｌｕｏｒｏｅｔｈｙｌｅｎｅ）、ＦＥＰ（Ｆｌｕｏｒｉｎａｔｅｄ  Ｅｔｈｙｌｅｎｅｐｒｏｐｙｌｅｎｅ）、ＰＴＦＥ（Ｐｏｌｙｔｅｔｒａｆｌｕｏｒｏｅｔｈｙｌｅｎｅ）、ＰＶＤＦ（Ｐｏｌｙｖｉｎｙｌｉｄｅｎｅｆｌｕｏｒｉｄｅ、ＰＦＡ（Ｐｅｒｆｌｕｏｒｏａｌｋｏｘｙ）及びその等価物のうち選択されたいずれか一つが使用され得るが、これに本発明の内容を限定するものではない。
【００６８】
デジタルバンド具備ステップＳ２は、その後、前記コーティング部１２１２ｂを乾燥する工程などをさらに経て具備され得る。
前記デジタルバンド具備ステップＳ２では、前記デジタル糸１２１２を用いて織物タイプのデジタルバンド１２００を形成する工程が行われる。
前記デジタルバンド１２００は、複数の通常経糸１２１１及び前記デジタル糸１２１２で構成された経糸１２１０を第１方向に並んで配列する。そして、前記経糸１２１０と垂直をなす第２方向に緯糸１２２０を送出する。また、前記緯糸１２２０は配列された列に沿って互いに隣接した１第１緯糸１２２１及び第２緯糸１２２２で構成され、前記第１緯糸１２２１及び第２緯糸１２２２は前記経糸１２１０の間を相互逆方向に貫通する。したがって、前記経糸１２１０及び緯糸１２２０として本発明の一実施例で使用されるデジタルバンド１２００が具備され得る。
【００６９】
前記デジタルバンド付着ステップＳ３は、前記ガーメント１１００に前記デジタルバンド１２００を付着するステップである。前記デジタルバンド１２００は経糸１２１０と緯糸１２２０とを用いて織物タイプで具備されているため、前記ガーメント１１００に裁縫によって付着され得る。また、前記デジタルバンド１２００の周縁には原糸を単糸又は撚糸の形態に具備した通常経糸１２１１が配列されいる。したがって、前記デジタルバンド１２００が前記ガーメント１１００に裁縫され付着される時、前記通常経糸１２１１が裁縫されるので前記デジタル糸１２１２が損傷を受けることを回避できる。
【００７０】
前記デバイス付着ステップＳ４は、前記ガーメント１１００に様々なデバイス１３００乃至１８００を付着し、前記デバイス１３００乃至１８００を前記デジタルバンド１２００に電気的に連結するステップである。
【００７１】
前記デバイス１３００乃至１８００は、様々な方式で前記ガーメント１１００に結合され付着され得る。例えば、前記デバイス１３００乃至１８００はボタンで製作され前記ガーメント１１００に結合されることができ、織物タイプに製作されて前記ガーメント１１００に裁縫されて結合されることもでき、前記ガーメント１１００に予め付着された支持台に結合されることで前記ガーメント１１００に結合されることもできる。
【００７２】
また、前記デバイス１３００乃至１８００はコネクタ方式又は半田付け方式を用いて前記デジタルバンド１２００と電気的に連結され得る。もちろん、洗濯のために前記デジタルバンド１２００と前記デバイス１３００乃至１８００との間の連結部位には防水処理がされる。
【００７３】
以上にて説明したことは、本発明の一実施例にかかるデジタルガーメント及びその製造方法を実施するための一つの実施例に過ぎないものであり、本発明は前記の実施例に限定されず、特許請求の範囲で請求するような本発明の要旨から外れることなく当該発明が属する技術分野で通常の知識を有する者であれば誰でも様々な変更実施が可能な範囲まで本発明の技術的精神があると言える。
−本研究は情報通信部及び情報通信研究振興院のＩＴ新成長動力核心技術開発事業の一環として行われた。[２００６-Ｓ-０２９-０２、Ｗｏｖｅｎ  ＵＦＣ（Ｕｂｉｑｕｉｔｏｕｓ  Ｆａｓｈｉｏｎａｂｌｅ  Ｃｏｍｐｕｔｅｒ）技術開発]
【図１】
2010522834.tif 000003
【図２】
2010522834.tif 000004
【図３】
2010522834.tif 000005
【図４】
2010522834.tif 000006
【図５】
2010522834.tif 000007
【図６】
2010522834.tif 000008
【図７】
2010522834.tif 000009
【図８】
2010522834.tif 000010
【図９】
2010522834.tif 000011
【国際調査報告】
2010522834.tif 000012
2010522834.tif 000013